(57)【要約】【課題】バインダーに、未整理の書類や名刺を一時的に収納するような機能を与える。【解決手段】バインダー１は、表表紙１２と裏表紙１３と背表紙１１からなる表紙を持ち、それらはシート材２０で覆われている。表表紙１２と、シート材２０のうち表表紙１２を覆う部分である表表紙部２１との間の空間は、一時的に未整理の書類を収納するためのポケットとして機能する。【選択図】図１
2016132121.tif 000002
【特許請求の範囲】
【請求項１】
その基端側で互いに接続されたともに矩形の表表紙と、裏表紙とを含む表紙を有するバインダーであって、
前記表表紙と前記裏表紙との少なくとも一方である特定表紙に、その周囲の一部が前記特定表紙の外面に固定され、その周囲の残部が前記特定表紙に固定されていない開放部とされている、前記特定表紙よりも薄いシートであるシート材が取付けられており、
前記シート材と前記特定表紙との間の空間をポケットとして用いることができるようになっている、
バインダー。
【請求項２】
前記シート材から前記特定表紙の一部が露出するようになっている、
請求項１記載のバインダー。
【請求項３】
前記シート材から、前記特定表紙の上側の辺の全長を含む前記特定表紙の上方の所定の範囲が露出するようになっている、
請求項２記載のバインダー。
【請求項４】
前記シート材の上方が前記表表紙の上方の辺と平行な直線状の辺となっており、
前記シート材の上方の辺が、開放部となっている、
請求項３記載のバインダー。
【請求項５】
前記シート材から、前記特定表紙の先端の辺の全長を含む前記特定表紙の先端側の所定の範囲が露出するようになっている、
請求項２又は３記載のバインダー。
【請求項６】
前記シート材の先端側が前記表表紙の先端の辺と平行な直線状の辺となっており、
前記シート材の先端の辺が、開放部となっている、
請求項５記載のバインダー。
【請求項７】
前記シート材の下方側が前記表表紙の下方の辺と一致する直線状の辺となっており、
前記シート材の下方の辺が、前記特定表紙の外面に固定されている、
請求項１〜６のいずれかに記載のバインダー。
【請求項８】
前記シート材は、前記表表紙から、前記裏表紙にまで至っている、
請求項１〜７のいずれかに記載のバインダー。
【請求項９】
前記シート材の前記表表紙における部分の上方と、前記裏表紙における部分の上方とはそれぞれ、前記表表紙、又は前記裏表紙と平行で互いに連なる一連の直線である、
請求項８記載のバインダー。
【請求項１０】
前記表紙は背表紙を備えており、
前記シート材は、前記表表紙から、前記背表紙を経て、前記裏表紙にまで至っている、
請求項１〜７のいずれかに記載のバインダー。
【請求項１１】
前記シート材の前記表表紙における部分の上方と、前記背表紙における部分の上方と、前記裏表紙における部分の上方とはそれぞれ、前記表表紙、前記背表紙、又は前記裏表紙と平行で互いに連なる直線である、
請求項１０記載のバインダー。
【請求項１２】
前記シート材は、透明又は半透明である、
請求項１〜１１のいずれかに記載のバインダー。
【請求項１３】
前記シート材は、その周囲のうち、その外側に前記特定表紙の外面が露出する範囲が、前記開放部となるようになっている、
請求項２記載のバインダー。
【請求項１４】
前記シート材は、その周囲のうち、その外側に前記特定表紙の外面が露出しない範囲においては、前記シート材と前記特定表紙とが固定されるようになっている、
請求項２又は１３記載のバインダー。
【発明の詳細な説明】
【技術分野】
【０００１】
本発明は、バインダーに関する。
【背景技術】
【０００２】
ステーショナリーの分野でバインダーが広く普及している。
バインダーは、一般的には同じ形状、大きさの矩形である表表紙と裏表紙とを有しており、その表表紙と裏表紙との間に、紙、或いは樹脂製のシートであるシート片を、多くの場合は１０枚以上、少なくとも複数枚重ね合わせてなる中身を綴じ込んだものとなっている。
中身と表表紙及び裏表紙の基端部分付近は互いに固定されており、表表紙、中身を構成する各シート片、及び裏表紙とのそれぞれは、互いに隣接するものに対して、その基端部分を軸として任意に回転できるようになっている。
バインダーの中身を構成するシート片は、１枚ものの紙或いはシートである場合もあるし、例えば袋状のものや、名刺を収納する複数のスペースを有するものなど多岐にわたる。ユーザは用途に応じて様々なバインダーを使い分け、例えば、書類や名刺の整理のためにバインダーを用いる。
【０００３】
ところで、バインダーを使用する場面においては、未整理の書類や名刺を一時的に収納することができると便利なことが多い。したがってバインダー自体に、そのような機能を与えることができると便利である。
【発明の概要】
【発明が解決しようとする課題】
【０００４】
しかしながらバインダーに、未整理の書類や名刺を一時的に収納するような機能を有するようにしたものは存在しない。
本願は、バインダーに、未整理の書類や名刺を一時的に収納するような機能を与えることを目的とする。
【課題を解決するための手段】
【０００５】
上述の課題を解決するものとして、本願発明者は以下の発明を提案する。
本願発明は、その基端側で互いに接続されたともに矩形の表表紙と、裏表紙とを含む表紙を有するバインダーである。
そして、このバインダーの前記表表紙と前記裏表紙との少なくとも一方である特定表紙に、その周囲の一部が前記特定表紙の外面に固定され、その周囲の残部が前記特定表紙に固定されていない開放部とされている、前記特定表紙よりも薄いシートであるシート材が取付けられており、前記シート材と前記特定表紙との間の空間をポケットとして用いることができるようになっている。
本願発明における特定表紙は、表表紙と裏表紙の一方又は双方である。特定表紙の外面にはシート材が存在し、特定表紙の外面とシート材との間の空間をポケットとして利用することができるようになっている。
本願発明におけるバインダーは、表表紙と裏表紙の一方又は双方にポケットとして利用することのできる空間が存在するので、これには限られるものではないが、例えば未整理の書類を、その空間に一時的に収納することが可能である。
特に、バインダーの中身を構成するシート片がその内部に書類をファイリングする袋状のものである場合には、未整理の書類をポケットとして利用することのできる空間に一時的に収納できることの意義は大きい。
なお、シート材の周囲のうち一部は特定表紙の外面に固定され、残部は特定表紙の外面に固定されない開放部となるが、開放部は、少なくとも、ポケットとして利用される空間に入れられることが想定される書類等をそこから入れることができる程度の長さにする必要がある。また、シート材の形状、大きさは基本的に自由であるが、ポケットとして利用される空間に入れられることが想定されるその書類等のある程度の部分をそこに入れることができる程度の形状、大きさにするのが良い。
【０００６】
シート材は、特定表紙となっている表表紙と裏表紙の外面の全面を覆うようになっていても良いし、そうでなくても良い。後者の場合、前記シート材から前記特定表紙の一部が露出するようになっている。
これは次のような効果を生じる。表紙は、多くの場合樹脂か紙でできている。そして、その表面に印刷乃至塗装を行うか、或いは樹脂の場合であれば多色成形を行わない限り、表紙は全体として同一の色彩となる。
他方、シート材から特定表紙の外面の一部が露出するのであれば、仮に表紙の全体が同一の色彩であるとともに、シート材もその全体が同一の色彩であったとしても、シート材の色彩を表紙の色彩と異ならせることにより、シート材がある部分と、シート材がなく特定表紙の外面が露出しているところで、ツートンカラーを形成することができる。これはコストをそれほど掛けずに、バインダーの意匠性を増すことに寄与する。また、この場合に、表紙に複数種類の色のバリエーションを準備しておき、またシート材に複数種類の色のバリエーションを準備しておけば、理論上、バインダーに、その積の数と同数の種類のカラーバリエーションを作ることができる。バインダーは、複数購入されることも多い商品であるから、コストをそれ程上げずにバインダーのカラーバリエーションを豊富にするということは、製造上の大きな利点となる。
なお、シート材は、不透明でも良いが、透明又は半透明とすることができる。シート材が透明又は半透明である場合には、有色でも無色でも構わない。シート材と特定表紙の外面との間は上述のようにポケットとして機能する。シート材を透明又は半透明とすることで、シート材を介してポケットの中に入れた書類等が見えるようになるのでユーザにとって便利である。また、シート材を透明又は半透明とするとともに、シート材から特定表紙の外面の一部が露出すると、特にポケットに書類等を挿入した場合には、露出するシート材の色彩、シート材を通して見る特定表紙の色、及びシート材を通して見る書類等の色の３種類の色が現れることになるので、視覚的な面白味が増す。
【０００７】
シート材から特定表紙の外面の一部が露出する場合の例として、以下のものを挙げることができる。
例えば、前記シート材から、前記特定表紙の上側の辺の全長を含む前記特定表紙の上方の所定の範囲が露出するようになっていても良い。上下のツートンカラーは、意匠的に優れたものとしやすい。この場合には、シート材の上側の一定範囲を開放部とすることもできる。そこからなら、書類等をポケットとしての空間に挿入しやすい。シート材から、特定表紙の上側の辺の全長を含む特定表紙の上方の所定の範囲が露出するようになっている場合においては、前記シート材の上方が前記表表紙の上方の辺と平行な直線状の辺となっていても良い。この場合には、前記シート材の上方の辺が、開放部となっていてもよい。
或いは、前記シート材から、前記特定表紙の先端の辺の全長を含む前記特定表紙の先端側の所定の範囲が露出するようになっていても良い。左右のツートンカラーは、意匠的に優れたものとしやすい。この場合には、シート材の上側の一定範囲を開放部とすることもできる。そこからなら、書類等をポケットとしての空間に挿入しやすい。シート材から、特定表紙の先端の辺の全長を含む特定表紙の先端側の所定の範囲が露出するようになっている場合には、  シート材の先端側が表表紙の先端の辺と平行な直線状の辺となっていてもよい。この場合には、前記シート材の先端の辺が、開放部となっていてもよい。
また、本願発明のバインダーにおいては、前記シート材の下方側が前記表表紙の下方の辺と一致する直線状の辺となっており、前記シート材の下方の辺が、前記特定表紙の外面に固定されていても良い。
特に、シート材の上方が表表紙の上方の辺と平行な直線状の辺となっているという条件と、シート材の先端側が表表紙の先端の辺と平行な直線状の辺となっているという条件と、シート材の下方側が表表紙の下方の辺と一致する直線状の辺となっているという条件とがすべて充足される場合には、略矩形のシート材から、特定表紙の上方と先端に沿う略Ｌ字型形状となった特定表紙が覗くという、デザイン性の高い意匠を得ることができる。
本願のシート材は、その周囲のうち、その外側に前記特定表紙の外面が露出する範囲が、前記開放部となるようになっていても良い。また、前記シート材は、その周囲のうち、その外側に前記特定表紙の外面が露出しない範囲においては、前記シート材と前記特定表紙とが固定されるようになっていてもよい。シート材の周囲のうち、シート材の外側に特定表紙が露出している部分では、シート材と特定表紙の境界が現れる。その部分を開放部とすることにより、ユーザは、直感的に、書類等をポケットとして機能する上述の空間に入れる際の入り口となる開放部の位置を直感的に認識できるようになる。加えて、シート材の周囲のうち、シート材の外側に特定表紙が露出しない範囲、つまりシート材の縁が特定表紙の縁に一致している範囲においては、シート材を特定表紙に固定することとすれば、ユーザは益々開放部の位置を直感的に認識できるようになる。
【０００８】
本願発明における前記シート材は、特定表面のみに収まるものであっても良いが、前記表表紙から、前記裏表紙にまで至っていても良い。この場合には、表表紙と裏表紙の一方のみ、又は双方を特定表紙とすることができる。表表紙と裏表紙の一方のみが特定表紙である場合には、その他方の特定表紙でない方の表表紙又は裏表紙の外面は、そこに特定表紙から回りこんできたシート材の一部を固定するために用いられる。そうすることで、特定表紙の基端側の部分にシート材を固定する必要がなくなるので、特定表紙におけるポケットとしてとして機能する空間を大きく取れるようになる。この場合、前記シート材の前記表表紙における部分の上方と、前記裏表紙における部分の上方とはそれぞれ、前記表表紙、又は前記裏表紙と平行で互いに連なる一連の直線であっても良い。
本願発明におけるバインダーの表紙は、表表紙と裏表紙とに加えて、背表紙をも備えていても良い。表紙が背表紙を備えている場合、前記シート材は、前記表表紙から、前記背表紙を経て、前記裏表紙にまで至っていても良い。この場合、前記シート材の前記表表紙における部分の上方と、前記背表紙における部分の上方と、前記裏表紙における部分の上方とはそれぞれ、前記表表紙、前記背表紙、又は前記裏表紙と平行で互いに連なる直線であっても良い。
【図面の簡単な説明】
【０００９】
【図１】第１実施形態によるバインダーを表表紙側から見た斜視図。
【図２】図１に示したバインダーを裏表紙側から見た図。
【図３】図１に示したバインダーを背表紙側から見た図。
【図４】図１に示したバインダーの図１におけるＡで示した部分を図１における上方から見た拡大図。
【図５】図１に示したバインダーの固定部材を拡大して示す図。
【図６】図１に示したバインダーの内袋の構成を説明するための概略図。
【図７】図１に示したバインダーにおいて紐を係止部から外した状態を示す斜視図。
【図８】図１に示したバインダーの使用状態の一例を示す斜視図。
【図９】変形例によるバインダーの表紙を開いて、背表紙側から見た図。
【図１０】第２実施形態によるバインダーの表紙を開いて、背表紙側から見た図。
【図１１】図１に示した本の内袋の他の構成及び製造方法を説明するための概略図。
【発明を実施するための形態】
【００１０】
以下、本発明のバインダーの好ましい第１〜第２実施形態について、図面を参照して詳細に説明する。
なお、各実施形態において、重複する対象には重複する符号を付すものとし、重複する説明は場合により省略するものとする。
【００１１】
≪第１実施形態≫
第１実施形態におけるバインダー１を図１〜４に示す。
具体的には、バインダー１を表表紙（表表紙については後述する。）側から見た斜視図を図１に、バインダー１を裏表紙（裏表紙については後述する。）側から見た図を図２に、バインダー１を背表紙（背表紙については後述する。）側から見た図を図３に、バインダー１の図１におけるＡで示した部分を図１における上方から見た拡大図を図４に、それぞれ示す。
この実施形態におけるバインダー１は、書類整理をその用途とする。
【００１２】
バインダー１は、表紙１０を備えている。表紙１０は、樹脂製であり、ある程度の厚さを有している。この実施形態の表紙１０の厚さは、これには限られないがすべての部分で同一であり、これには限られないが２ｍｍ内外である。
表紙１０は、有色か無色かにかかわらず透明又は半透明であっても良いが、これには限られないが、この実施形態では不透明である。表紙１０は一色成形品であり、その表面に印刷や塗装はなされていない。
表紙１０は、背表紙１１と、表表紙１２と、裏表紙１３とを備えている。背表紙１１は図１の垂直方向に細長い矩形であり、表表紙１２と、裏表紙１３とは、背表紙１１と図１における垂直方向の長さが等しく且つ背表紙１１よりもその水平方向の長さがかなり大きな略矩形である。表表紙１２と裏表紙１３とが矩形でなく略矩形であるのは、その先端の図１における上下の部分に面取りがなされているからである。
表表紙１２と裏表紙１３とは、その基端部分の全長で、背表紙１１の図１における垂直方向の２辺にそれぞれ接続されている。表表紙１２と裏表紙１３は、背表紙１１に接続されている部分を軸として回転可能となっており、それによりこのバインダー１は開いたり閉じたりすることができるようになっている。
【００１３】
表紙１０の外側には、シート材２０が取付けられている。シート材２０は、樹脂製であり、これには限られないが、表紙１０よりも薄く構成されている。シート材２０の厚さは、これには限られないがすべての部分で同一であり、これには限られないが０．５ｍｍ内外である。
シート材２０は、有色か無色かにかかわらず透明又は半透明であっても良いし、不透明であっても良い。これには限られないが、この実施形態では不透明である。シート材２０は一色成形品であり、その表面に印刷や塗装はなされていない。また、シート材２０の色彩は、表紙１０の色彩と異なるものとされている。
【００１４】
シート材２０は、それと表紙１０の一部との間に、未整理の書類等を入れるポケットとして機能するための空間を作るためのものである。シート材２０は、その目的が達成される限り、どのような形状、大きさでも構わない。
なお、後述するように、この実施形態では、表表紙１２とシート材２０の間にポケットとして機能する空間が形成されることになる。したがって、この実施形態における本願における特定表紙は、表表紙１２である。
【００１５】
シート材２０は、少なくとも特定表紙である表表紙１２の表面を覆うが、この実施形態では、表表紙１２から、背表紙１１を介して、裏表紙１３にまで及んでいる。
特定表紙である表表紙１２の外面は、これには限られないが、この実施形態ではシート材２０から一部露出するようになっている。
これには限られないが、この実施形態においては、シート材２０から、特定表紙たる表表紙１２の上側の辺の全長を含む表表紙１２の上方の所定の範囲が露出するようになっている。また、これには限られないが、この実施形態においては、シート材２０から、特定表紙たる表表紙１２の先端の辺の全長を含む表表紙１２の先端側の所定の範囲が露出するようになっている。
シート材２０は、その４つの角において、必ずしも必要ではないが面取りが行われているが、展開した場合においては全体として略矩形形状をしている。
シート材２０の図１における垂直方向の長さは、これには限られないがこの実施形態では、シート材２０の面取りが行われている部分を除きすべての部分で同一であり、表紙１０の図１における垂直方向の長さよりも小さくなっている。シート材２０の下端の辺は、表表紙１２、背表紙１１、又は裏表紙１３のいずれに対応する部分においても、表表紙１２、背表紙１１、又は裏表紙１３の下端の辺に略一致するようになっている。
シート材２０の表表紙１２を覆う部分である表表紙部２１は、この実施形態では略矩形である。上述したように、表表紙部２１の図１における下端の辺は、表表紙１２の下端の辺と略一致している。これにより、表表紙部２１の上方が表表紙１２の上方の辺と平行な直線状の辺となり、且つ表表紙部２１から、表表紙１２の上側の辺の全長を含む表表紙１２の上方の所定の範囲が露出するようになっている。他方、表表紙部２１の先端側の辺は、表表紙１２の先端側の辺にまで及んでおらず、幾らか隙間が空いている。これにより表表紙部２１の先端側が表表紙１２の先端の辺と平行な直線状の辺となっており、且つ表表紙部２１から、表表紙１２の先端の辺の全長を含む表表紙１２の先端側の所定の範囲が露出するようになっている。結果として、表表紙１２は、表表紙１２の先端側の辺と図１における上側の辺との２つの辺に沿う部分が、表表紙部２１に覆われずに略Ｌ字型形状となって露出している。
シート材２０の背表紙１１を覆う部分である背表紙部２２は、この実施形態では矩形である（図３）。上述したように、背表紙部２２の図３における下端の辺は、背表紙１１の下端の辺と略一致している。また、背表紙部２２の図３における上側の辺と、背表紙１１の上側の辺との間には、幾らかの隙間が空いておりそこから背表紙１１が露出している。
シート材２０の裏表紙１３を覆う部分である裏表紙部２３は、この実施形態では略矩形である。上述したように、裏表紙部２３の図２における下端の辺は、裏表紙１３の下端の辺と略一致している。他方、裏表紙部２３の先端側の辺は、裏表紙１３の先端側の辺の遥か手前にまでしか及んでいない。また、裏表紙部２３の図１における上側の辺と、裏表紙１３の上側の辺との間には、幾らかの隙間が空いている。結果として、裏表紙１３は、その殆どの部分が、裏表紙部２３に覆われずに露出している。
【００１６】
上述のように、表表紙１２のうち、表表紙１２の先端側の辺と図１における上側の辺との２つの辺に沿う部分は、表表紙部２１に覆われずに露出するようになっている。そのようにしているのは、主に意匠的な側面からである。
表表紙１２と表表紙部２１の色彩が異なるとする。そうすると、表表紙１２を含む表紙１０と、表表紙部２１を含むシート材２０とが共に、その形成についてのコストが低い一色成形ものであったとしても、両者の色彩を異ならせることで、表表紙部２１から、色彩の異なる表表紙１２が略Ｌ字型形状で覗くという、デザイン性の高い意匠を得ることができる。加えて、かかる構成は、色彩違いの複数の表紙１０と、色違いの複数のシート材２０とを組合せることで、非常に多くのバインダー１のカラーバリエーションを、コストをそれほど上げずに実現できるという点でも意味がある。
また、表表紙部２１を含むシート材２０を透明又は半透明とすれば、表表紙部２１における色彩を、表表紙部２１を透かして表表紙１２を見た色彩とすることができるため、意匠的により変化をつけることも可能となるし、特に後述するポケットに書類等を挿入した場合には、露出するシート材の色彩、シート材を通して見る特定表紙の色、及びシート材を通して見る書類等の色の３種類の色が現れることになるので、視覚的な面白味が増す。
【００１７】
シート材２０は、表紙１０に対して、以下のようにして取付けられている。
まず、シート材２０の裏表紙部２３の先端付近２３Ａが、これには限られないがこの実施形態では溶着、例えば公知の超音波溶着によって、図２における垂直方向に、裏表紙１３に固定されている。この実施形態では溶着を、連続するスポット溶着で行っている。
また、シート材２０の表表紙部２１の下端付近２１Ａが、これには限られないがこの実施形態では溶着、例えば公知の超音波溶着によって、図１における水平方向に表表紙１２に固定されている。この実施形態では溶着を、連続するスポット溶着で行っている。
裏表紙１３における裏表紙部２３は、上述のように略矩形である。そして、その上方と下方の辺は、裏表紙１３の外面と固定されていない開放部となっている。しかしながら、裏表紙部２３と裏表紙１３との間の空間は、未整理の書類等を入れられる程大きくなく、また下方の辺が開放部となっているので、仮にその空間に何かを入れても下方の辺に対応する開放部から下方に抜け落ちてしまうので、本願でいうポケットとしては殆ど機能しない。
表表紙１２における表表紙部２１も、上述のように略矩形である。そして、その上方と先端の辺は、表表紙１２の外面と固定されていない開放部となっている。他方、その下方の辺は表表紙１２の外面と固定されており、且つその基端側の辺も、裏表紙部２３の先端付近２３Ａが、裏表紙１３に固定されていることにより、表表紙１２には直接固定されていないものの間接的に固定された状態となっている。これにより、表表紙部２１と表表紙１２との間の空間は、未整理の書類等をそこに入れることができるようになり、本願で言うポケットとして機能することになる。表表紙部２１の上方の辺と先端の辺の２辺が開放部となっているため、開放部から、ポケットとして機能する空間に書類等を入れるのは容易である。また、表表紙部２１の下方の辺は表表紙１２の外面に固定されているのであるから、ポケットとして機能する空間に入れられた書類等がそこから下方に抜け落ちることもない。
シート材２０は、特定表紙たる表表紙１２では、その周囲のうち、その外側に表表紙１２の外面が露出する範囲では、シート材２０の表表紙部２１が表表紙１２は固定されない開放部となるようになっている。また、シート材２０は、その周囲のうち、その外側に特定表紙たる表表紙１２の外面が露出しない範囲（例えば、シート材の下方に沿う縁と基端に沿う縁）では、シート材２０の表表紙部２１と特定表紙とが固定されるようになっている。もっとも表表紙部２１の基端側の縁は正確にいえば表表紙１２には固定されておらず、表表紙１２の基端側の縁は、裏表紙部２３の先端付近２３Ａが裏表紙１３に固定されることによって、間接的に表表紙１２に固定されている（表表紙１２から離反させることができなくなっている。）。このように、シート材の周囲のうち、特定表紙からの離反が妨げられている部分についても、本願では、特定表紙に固定されているという場合がある。
【００１８】
裏表紙１３には、図２に示したように、紐３０が固定されている。紐３０は、裏表紙１３に、図２における垂直方向に適宜の間隔を空けて穿たれた２つの孔１３Ｂを利用して、その両端を裏表紙１３に固定されている。紐３０の両端はともに、孔１３Ｂを介して、裏表紙１３の外側から内側に通されており、且つその両端には図示を省略するが結び目が作られている。結び目の大きさは孔１３Ｂを通過できない大きさとされており、それにより紐３０の両端は裏表紙１３に取付けられている。
紐３０は靭やかに任意の方向に曲折可能であり、これには限られないが、伸縮性を有している。
【００１９】
表表紙１２には、固定部材４０が設けられている。固定部材４０は、着脱自在な紐３０との係止を行うためのものである。
固定部材４０を拡大して図５に示す。
固定部材４０は、これには限られないが、この実施形態では樹脂製の一体物である。
固定部材４０は、略円形をしたベース４１を備えている。
ベース４１の表表紙１２の先端側には、係止部４２が設けられている。係止部４２は、固定部材４０の中心に向かってその先端である係止先端部４２Ａを張り出させたような形状となっており、全体としてフック状の形状となっている。係止部４２の係止先端部４２Ａの内側で且つ下側には、図４に示したようにして、紐３０を係止することができるようになっている。係止先端部４２Ａの幅（この実施形態では、幅という語を用いる場合には、図１における上下方向を意味するものとする）は、上述した紐３０の両端の幅よりも狭くなっている。それにより、紐３０の中程を指で摘んで紐３０を係止部４２に係止するときの紐３０の間隔を稼ぐことが可能となるので、係止部４２に紐３０を係止するのが容易になるようになっている。なお、この効果は、裏表紙１３側から表表紙１２に回り込んで来た紐３０の、表表紙１２の先端側の縁の部分における間隔が、少なくとも係止先端部４２Ａの幅よりも広ければ得られる。
固定部材４０は、そのベース４１の図５における下側を、表表紙部２１の先端付近に固定することによって表表紙部２１に固定されている。表表紙部２１と、固定部材４０との固定は、これには限られないが溶着、例えば公知の超音波溶着による。
【００２０】
なお、紐３０と固定部材４０とは、バインダー１の表表紙１２と裏表紙１３の先端付近同士を互いに固定することで、表表紙１２と裏表紙１３が予期せぬタイミングで開くことを防止するためのものである。そのような効果が不要である場合等には、固定部材４０と紐３０とは、省略可能である。その場合にはもちろん、紐３０を裏表紙１３に固定するための孔１３Ｂを裏表紙１３に設ける必要もない。
【００２１】
図１における表表紙１２と裏表紙１３との間には、シート片の一例となる内袋５０が多数取付けられている。内袋５０は、バインダーにおいてその使用がされていることが公知、或いは周知な袋状の樹脂製のシートである。内袋５０は、これには限られないが、図６に示したように、透明な２枚の同じ形状、大きさの矩形のシート５１を重ね合わせ、その網掛け部分である溶着部５１Ａを溶着することで構成されている。各内袋５０は、表表紙１２及び裏表紙１３よりも一回り小さい矩形となり、図１における上側の辺のみが開放された状態となる。
或いは、内袋５０は、図１１に示したような方法で製造することも可能である。この場合の内袋５０は、例えば押出成形によって作られた、長尺であり、その周方向のどこにも継目のないスリーブ状の透明な袋である長尺袋５２を、最終的に得る内袋５０の高さに相当する長さ毎に、点線で示した部分で切断し（図１１（Ａ））、切断して得られた、その両端が開放された筒状の袋５２Ａの一端側の全長にわたる第１溶着部５２Ａ１を、筒状の袋を潰した状態で溶着し（同（Ｂ））、そして、第１溶着部５２Ａ１の中央を通り且つ第１溶着部５２Ａの長さ方向をその長さ方向とする第２溶着部５２Ａ２を溶着する（同（Ｃ））ことによって得られる。この内袋５０は、図６に示した内袋５０と略同様の構造をしているが、その幅方向の両端に溶着された部分がないことから、書面等が挿入されるその内部の空間の幅を大きくできるという利点を持つ。
そして、図６或いは図１１に示した２つで一組とされた内袋５０は、多数、例えば１０枚を重ねあわせた状態で、溶着部５１Ａ中央の中央部５１Ａ１又は、図１１に示した内袋５０で中央部５１Ａ１に相当する第２溶着部５２Ａ１を、背表紙１１の内側面に、背表紙１１の図１における垂直方向で、例えば公知の超音波溶着によって溶着させることにより、固定されている。
各内袋５０は、背表紙１１に溶着された部分を軸として、回転可能となっている。
【００２２】
次いでこのバインダー１の使用方法について説明する。
バインダー１の使用方法は、書類整理用の内袋を備えた従来からのバインダーと基本的には変わらない。仕舞われている状態ではバインダー１は、図１に示されたような閉じられた状態となっている。このとき紐３０は、通常、固定部材４０の係止部４２に係止され、表表紙１２と裏表紙１３とは互いに固定された状態となっている。ユーザは紐３０を摘んで係止部４２に対する紐３０の固定を解いて図７に示したような状態とする。これにより、ユーザは、バインダー１を開けるようになる。
ユーザは必要に応じて、表表紙１２と裏表紙１３の一方を他方に対して回転させることによりバインダー１を開き、内袋５０をめくり、書類を任意の内袋５０に挿入してファイリングを行う。また、ユーザは、例えば未整理の書類１００を、表表紙１２と表表紙部２１との間に形成される上述のポケットに一時的に収納することができる（図８）。ユーザは自分にとって都合の良いタイミングで、ポケットに収納した書類１００を、任意の内袋５０に挿入すれば良い。
【００２３】
バインダー１の使用が終わったら、ユーザは、バインダー１を閉じてから、紐３０を固定部材４０の係止部４２に係止して、バインダー１を所定の場所に仕舞う。このときに、ポケットには未整理の書類等が残ったままであっても良い。棚にバインダー１を縦置きしたとしても、ポケットとして機能する表表紙部２１と表表紙１２の間の空間から、書類等が脱落することはない。ポケットの先端側の部分に相当する表表紙部２１の先端側の辺は表表紙１２に固定されておらず開放可能な開放部となっているが、紐３０が係止部４２に係止されていれば、ポケットに差し込まれた書類１００等が、その先端側の開放部からも脱落する可能性は低い。
【００２４】
＜変形例＞
変形例によるバインダー１について説明する。
図９に上述の第１実施形態によるバインダー１と変形例によるバインダー１とを、表紙１０を開いた状態で背表紙１１側から見た図を示す。
図９中（Ａ）が第１実施形態によるバインダー１である。
同（Ｂ）〜（Ｅ）が、第１から第４の変形例によるバインダー１である。変形例によるバインダー１はいずれも、第１実施形態のバインダー１とその構成を殆ど等しくする。変形例によるバインダー１と第１実施形態のバインダー１との間で異なるのは、事実上、シート材２０の形状のみである。
第１の変形例による、図９（Ｂ）に示されたバインダー１のシート材２０は、表表紙１２における表表紙部２１の先端が第１実施形態の場合よりも長く、表表紙１２の先端の辺にまで至っている。このように、特定表面たる表表紙１２の先端を含む所定の範囲が、表表紙部２１から露出しない場合もある。
第２の変形例による、図９（Ｃ）に示されたバインダー１のシート材２０は、その全体の図９における上下方向の長さが第１実施形態の場合よりも長い。その結果、表表紙部２１、背表紙部２２、及び裏表紙部２３の上方の辺はそれぞれ、表表紙１２、背表紙１１、及び裏表紙１３の上方の辺に至っている。このように、特定表面たる表表紙１２の上側の辺を含む所定の範囲が、表表紙部２１から露出しない場合もある。
第３の変形例による、図９（Ｄ）に示されたバインダー１のシート材２０は、その全体の図９における上下方向の長さが第１実施形態の場合よりも短く、且つ、表表紙部２１、背表紙部２２、及び裏表紙部２３の下方の辺と、表表紙１２、背表紙１１、及び裏表紙１３の下方の辺との間にはそれぞれ、隙間が生じている。このように、特定表面たる表表紙１２の下側の辺と、表表紙部２１の下側の辺は、必ずしも重なり合わなければならないわけではない。
第４の変形例による、図９（Ｅ）に示されたバインダー１のシート材２０は、その上側の辺が波打つような曲線となっている。その結果、表表紙部２１、背表紙部２２、及び裏表紙部２３の上方の辺はそれぞれ、曲線となっている。表表紙部２１、背表紙部２２、及び裏表紙部２３の上方の辺と、表表紙１２、背表紙１１、及び裏表紙１３との間にはそれぞれ、表表紙１２、背表紙１１、及び裏表紙１３が覗く隙間ができている。図９（Ａ）に示したバインダー１に加え、図９（Ｅ）に示したバインダー１でも、シート材２０は、特定表紙たる表表紙１２では、その周囲のうち、その外側に表表紙１２の外面が露出する範囲では、シート材２０の表表紙部２１が表表紙１２は固定されない開放部となるようになっており、その周囲のうち、その外側に特定表紙たる表表紙１２の外面が露出しない範囲では、シート材２０の表表紙部２１と特定表紙とが固定されるようになっている。
これら変形例によるバインダー１における表表紙部２１の開放部の位置は第１実施形態の場合と同様であり、これら変形例によるバインダー１の使用方法は、第１実施形態のバインダー１の場合と同様である。
【００２５】
≪第２実施形態≫
図１０を用いて第２実施形態の２つのバインダー２について説明する。図１０（Ａ）が第２実施形態のバインダーであり、同（Ｂ）が第２実施形態のバインダーの他の例である。
第２実施形態のバインダー２と、第１実施形態のバインダー１で異なるのは、事実上、シート材２０の構成のみである。
第１実施形態では、表表紙１２が本願で言う特定表紙であった。第２実施形態でも同様であるが、第１実施形態では表表紙１２から背表紙１１を介して裏表紙１３にまで至っていたシート材２０は、第２実施形態では、表表紙１２のみを覆うものとなっている（図１０（Ａ））。この実施形態におけるシート材２０の形状、大きさは第１実施形態におけるシート材２０のうちの表表紙部２１の形状、大きさに一致する。この場合における表表紙部２１は、第１実施形態の場合と同様に、その下端付近２１Ａが表表紙１２に固定されています。また、その基端付近２１Ｂが表表紙１２に固定されている。
第２実施形態のバインダー２では、シート材２０と、表表紙部２１との間に形成されるポケットとして機能する空間の形状、大きさは、第１実施形態の場合と同様である。
図１０（Ｂ）に示された、他の例による第２実施形態のバインダー２は、図１０（Ａ）に示されたバインダー２の裏表紙１３にも、シート材２０を追加したものである。このように、表表紙１２と裏表紙１３の双方に、ポケットとして機能する空間を設けることも可能である。
この場合、裏表紙部２３は、その先端付近２３Ａを裏表紙１３に固定するとともに、その下端付近２３Ｂと、基端付近２３Ｃを裏表紙１３に固定することで裏表紙１３に固定されている。
図１０（Ａ）に示されたバインダー２では、シート材２０は、特定表紙たる表表紙１２では、その周囲のうち、その外側に表表紙１２の外面が露出する範囲では、シート材２０の表表紙部２１が表表紙１２は固定されない開放部となるようになっており、その周囲のうち、その外側に特定表紙たる表表紙１２の外面が露出しない範囲では、シート材２０の表表紙部２１と特定表紙とが固定されるようになっている。
図１０（Ｂ）のバインダー２でも表表紙１２では同様であるが、裏表紙１３では、シート材２０の裏表紙部２３の先端付近２３Ａが裏表紙１３に固定されているから、その周囲のうち、その外側に特定表紙の外面が露出する範囲が開放部となる、という条件が充足されていない。もっとも、その条件が充足されるように先端付近２３Ａを開放部とすることも可能である。
第２実施形態によるバインダー２の使用方法は第１実施形態によるバインダー１の使用方法と基本的には変わらないが、第２実施形態の他の例によるバインダー２については、表表紙１２と表表紙部２１との間の空間に加えて、裏表紙１３と裏表紙部２３との間の空間をもポケットとして利用できるという点で、その使用方法に若干の相違がある。
【符号の説明】
【００２６】
１  バインダー
２  バインダー
１０  表紙
１１  背表紙
１２  表表紙
１３  裏表紙
２０  シート材
２１  表表紙部
２２  背表紙部
２３  裏表紙部
３０  紐
４０  固定部材
４１  ベース
４２  係止部
４２Ａ  係止先端部
【図１】
2016132121.tif 000003
【図２】
2016132121.tif 000004
【図３】
2016132121.tif 000005
【図４】
2016132121.tif 000006
【図５】
2016132121.tif 000007
【図６】
2016132121.tif 000008
【図７】
2016132121.tif 000009
【図８】
2016132121.tif 000010
【図９】
2016132121.tif 000011
【図１０】
2016132121.tif 000012
【図１１】
2016132121.tif 000013